(57)【要約】【課題】バックゲージをワーク後端に相対的に当接した際に、ワークが下型上面から浮上がることを防止できるワーク当接方法及びプレスブレーキを提供する。【解決手段】予め折曲げ加工されたワークの端部に、プレスブレーキにおけるバックゲージを相対的に当接するワーク当接方法であって、前記端部を含むワークの平面をプレスブレーキにおける下型１１上に載置した後、プレスブレーキに備えたワーク浮上がり防止手段２３によってワークＷの前記平面部を前記下型１１の上面又は前記下型１１の上面と同一高さに備えた補助支持部材３１に移動可能に押圧し、この押圧状態を保持してワークの前記端部にバックゲージ１５を相対的に当接する。【選択図】図３
2016000415.tif 000002
【特許請求の範囲】
【請求項１】
予め折曲げ加工されたワークの端部に、プレスブレーキにおけるバックゲージを相対的に当接するワーク当接方法であって、前記端部を含むワークの平面をプレスブレーキにおける下型上に載置した後、プレスブレーキに備えたワーク浮上がり防止手段によって前記下型の上面又は前記下型の上面と同一高さに備えた補助支持部材にワークの前記平面部を移動可能に押圧し、この押圧状態を保持してワークの前記端部にバックゲージを相対的に当接することを特徴とするバックゲージに対するワーク当接方法。
【請求項２】
板状のワークの折曲げ加工を行う上下の金型を備えると共にワークの前後方向の位置決めを行うバックゲージを備えたプレスブレーキであって、予め折曲げ加工されたワークの端部を含む平面部を前記下型上に載置して前記バックゲージを相対的に当接する際、前記バックゲージに備えたスプリングの反力によって前記平面部が前記下型の上面から浮上がることを防止するために、前記下型の上面又は前記下型の上面と同一高さに備えた補助支持部材にワークの前記平面部を移動可能に押圧するワーク浮上がり防止手段を備えていることを特徴とするプレスブレーキ。
【発明の詳細な説明】
【技術分野】
【０００１】
本発明は、プレスブレーキにおけるバックゲージに対してワークを相対的に当接するワーク当接方法及びプレスブレーキに係り、さらに詳細には、バックゲージに備えたスプリングの反力によってワークが下型上面から浮上がることを防止することのできるワーク当接方法及びプレスブレーキに関する。
【背景技術】
【０００２】
プレスブレーキに備えた上下の金型によって板状のワークの折曲げ加工を行うとき、ワークの後端部をバックゲージに当接することにより、ワークの前後方向の位置決めを行っている。前記上下の金型間へワークを配置しワークの後端部をバックゲージに当接し位置決めするには、作業者が手動的に行う場合がある。また、ロボットに備えたグリッパによってワークの適宜位置を把持し、当該ロボットによって下型上に位置決めされたワークの後端部にバックゲージを相対的に当接する場合がある（例えば特許文献１参照）。
【先行技術文献】
【特許文献】
【０００３】
【特許文献１】特開２００４−２３７３１７号公報
【発明の概要】
【発明が解決しようとする課題】
【０００４】
特許文献１には、板状のワークの折曲げ加工を行う上下の金型の後方に、ワークを当接し位置決めするバックゲージを前後方向に位置決め自在に備えたプレスブレーキが記載されている。そして、前記プレスブレーキの前側には、上下の金型間へワークを供給するロボットが配置されている。このロボットによってワークを上下の金型間へ供給してワークの位置決めを行った後、バックゲージを相対的に当接する際、ワークに生じたうねりを矯正するために、下型とロボットのグリッパとの間においてワークを下方向へ押圧するうねり矯正手段を備えた構成が記載されている。上記構成においては、ワークのうねりを矯正してバックゲージをワークに当接するには有効である。
【０００５】
ところで、特許文献１に記載されているように、バックゲージにリニアポテンショメータを使用すると、リニアポテンショメータに移動自在に備えられた測定子は内装したスプリングによって常に突出する方向へ付勢されているものである。したがって、下型上にワークを載置し、ワークの後端部にバックゲージを相対的に当接すると、前記スプリングの反力によってワークが下型の上面から浮上がることがある。
【０００６】
すなわち、例えば図１（Ａ）に示すように、折曲げ位置Ａ，Ｂにおいて鈍角に折曲げたワークＷを作成するには、ロボットハンドに備えたグリッパＧによってワークＷを把持する。そして、プレスブレーキに備えた上下の金型Ｐ，Ｄ間へワークＷを供給し位置決めする。その後、バックゲージＢＧをワークの後端部に相対的に当接し位置決めする。その後、図１（Ｂ）に示すように、ワークＷの折曲げ位置Ａの折曲げ加工を行う。次に、図１（Ｃ）に示すように、ワークＷの上下を反転し、ワークＷを下型Ｄ上に載置した状態においてワークＷの後端部にバックゲージＢＧを当接する。その後、上下の金型Ｐ，ＤによってワークＷの折曲げ加工を行うことにより、折曲げ位置Ｂの折曲げ加工が行われることになる。
【０００７】
上記構成の場合、図１（Ｃ）に示すように、既に折曲げ加工されて傾斜した状態にあるワークＷの後端部にバックゲージを相対的に当接し位置決めするとき、ワークＷの後端部側が、バックゲージに備えたスプリングの反力によって撓む傾向にあり、折曲げ位置Ｂを、上下の金型Ｐ，Ｄ間に正確に位置決めすることが難しい、という問題がある。
【０００８】
そこで、図２（Ａ）に示すように、ワークＷに折曲げ位置Ｂを予め折曲げ加工した後に、ワークＷの後端部を含む平面部を下型Ｄ上に載置する。そして、ワークＷの後端部にバックゲージＢＧを相対的に当接して折曲げ位置Ａの位置決めを行い、図２（Ｂ）に示すように、折曲げ位置Ａの折曲げ加工を行う場合がある。この場合、ワークＷの後端部にバックゲージＢＧを相対的に当接してワークＷの折曲げ位置Ａ，Ｂの位置決めを行うとき、ワークＷの後端部を含む平面部を下型Ｄ上に載置して、バックゲージＢＧをワークの後端部に相対的に当接することになる。したがって、図１において説明した問題は解消されることになる。
【０００９】
しかし、図２（Ａ）に示すように、ワークＷの後端部にバックゲージを相対的に当接して位置決めすべく、ロボットに備えたグリッパＧによってワークＷを定位置に保持すると、バックゲージＢＧに備えたスプリングの反力によってワークＷが前方向（図２において右方向）へ僅かに押圧され、ワークＷが下型Ｄの上面から僅かに浮上がることがある（図２（Ｃ）の想像線参照）。したがって、ワークＷの折曲げ位置Ａを上下の金型Ｐ，Ｄ間に正確に位置決めすることが難しい、という問題がある。
【課題を解決するための手段】
【００１０】
本発明は、前述のごとき問題に鑑みてなされたもので、予め折曲げ加工されたワークの端部に、プレスブレーキにおけるバックゲージを相対的に当接するワーク当接方法であって、前記端部を含むワークの平面をプレスブレーキにおける下型上に載置した後、プレスブレーキに備えたワーク浮上がり防止手段によって前記下型の上面又は前記下型の上面と同一高さに備えた補助支持部材にワークの前記平面部を移動可能に押圧し、この押圧状態を保持してワークの前記端部にバックゲージを相対的に当接することを特徴とするものである。
【００１１】
また、板状のワークの折曲げ加工を行う上下の金型を備えると共にワークの前後方向の位置決めを行うバックゲージを備えたプレスブレーキであって、予め折曲げ加工されたワークの端部を含む平面部を前記下型上に載置して前記バックゲージを相対的に当接する際、前記バックゲージに備えたスプリングの反力によって前記平面部が前記下型の上面から浮上がることを防止するために、前記下型の上面又は前記下型の上面と同一高さに備えた補助支持部材にワークの前記平面部を移動可能に押圧するワーク浮上がり防止手段を備えていることを特徴とするものである。
【発明の効果】
【００１２】
本発明によれば、予め折曲げ加工されたワークの端部にバックゲージを相対的に当接するとき、下型の上面からワークが浮上がることを防止できるものである。
【図面の簡単な説明】
【００１３】
【図１】ワークの折曲げを行う場合の説明図である。
【図２】ワークの折曲げを行う場合の説明図である。
【図３】本発明の実施形態に係るプレスブレーキの構成を概念的、概略的に示した側面説明図である。
【図４】ワークの後端部にバックゲージを当接するときに、ワークの浮上がりを防止する作用説明図である。
【発明を実施するための形態】
【００１４】
図３に概略的、概念的に示すように、本発明の実施形態に係るプレスブレーキ１は、一般的なプレスブレーキと同様に左右のサイドフレーム３Ｌ，３Ｒを備えており、上記サイドフレーム３Ｌ，３Ｒの前側下部には左右方向（図１においては紙面に垂直な方向）に長い下部テーブル５が備えられている。そして、前記サイドフレーム３Ｌ，３Ｒの前側上部には、前記下部テーブル５と上下に対向した上部テーブル７が上下動自在に備えられている。
【００１５】
上記上部テーブル７は、サイドフレーム３Ｌ，３Ｒに装着した流体圧シリンダ、サーボモータなどのごとき上下動用アクチュエータ９によって上下動されるもので、この上部テーブル７の下部には、前記下部テーブル５の上部に装着した下型１１と協働して板状のワークＷの折曲げ加工を行う上型１３が備えられている。また、前記プレスブレーキ１には、上下の金型１３，１１間へ供給配置したワークＷの後端部に相対的に当接して、ワークＷの前後方向の位置決めを行うバックゲージ１５が備えられている。
【００１６】
上記バックゲージ１５は、従来のバックゲージと同様に、リニアポテンショメータから構成してあり、ワークＷの後端部に相対的に当接して位置決めする測定子（ワーク当接部）１７は内装したスプリング（図示省略）によって常に前方向（図３において右方向）へ押圧付勢されている。そして、前記プレスブレーキ１の前側には、ワークＷを把持自在なグリッパ１９を備えたロボット２１が配置してある。このロボット２１は、プレスブレーキに対してワークＷの供給を行うことのできる一般的なロボットでよいものであるから、ロボット２１の構成についての詳細な説明は省略する。
【００１７】
さらに、前記プレスブレーキ１には、前記ロボット２１によってワークＷの後端部にバックゲージ１５の測定子１７を相対的に当接し位置決めするときに、バックゲージ１５に内装したスプリングの反力によってワークＷが下型１１の上面から浮上がることを防止するためのワーク浮上がり防止手段２３が備えられている。
【００１８】
より詳細には、前記プレスブレーキ１におけるサイドフレーム３Ｌ，３Ｒの前側上部には、前記上部テーブル７の前側を覆う上部フレーム２５が備えられており、この上部フレーム２５の適数箇所には、例えば流体圧シリンダなどのごとき上下動アクチュエータ２７が備えられている。そして、この上下動用アクチュエータ２７に上下動自在に備えたピストンロッド等のごとき上下作動部材２９の下部には、下型１１上のワークＷを、下型１１の上面、又は下型１１の上面と同一高さに備えた補助支持部材３１の上面に対して移動可能に押圧するローラ、ボールなどのごとき適宜の押圧部材３３が備えられている。
【００１９】
前記補助支持部材３１は、当該補助支持部材３１の上面高さが前記下型１１の上面高さと同一であればよいものである。したがって、前記補助支持部材３１は、前記下型１１と一体的に、又は前記下部テーブル５に設けてもよいものである。
【００２０】
以上のごとき構成において、ワークＷの折曲げ位置Ｂを予め鈍角に折曲げた後、図３に示すように、ワークＷの後端部を含む平面部を前記下型１１の上面に載置する。そして、ロボット２１によってワークＷを保持した状態において、ワークＷの後端部に、バックゲージ１５の測定子１７を相対的に当接して前方向へ僅かに押圧すると、バックゲージ１５から当接信号が得られ、ワークＷの位置決めが行われることになる。
【００２１】
上述のように、ワークＷの後端部に測定子１７を相対的に当接して、当接信号を得るために僅かに前方向に押圧すると、バックゲージ１５に内装したスプリングの反力によってワークＷの前記平面部は、図２（Ｃ）に想像線で示されるように、下型１１の上面から浮上がる傾向にある。ところが、本実施形態においては、前述のように、ワークＷの平面部が下型１１の上面に載置されると、浮上がり防止手段２３における押圧部材３３によって、ワークＷを下型１１の上面、又は補助支持部材３１の上面に移動可能に押圧して、ワークＷの浮上がりを防止するものである（図４（Ａ）参照）。
【００２２】
前述のように、浮上がり防止手段２３における押圧部材３３によってワークＷを下型１１の上面に押圧した状態においてワークＷの後端部に前記測定子１７を相対的に当接したとき、内装したスプリングの反力によってワークＷの平面部が下型１１の上面から浮上がることが防止される。したがって、ワークＷの後端部の位置決めを正確に行い得るものである。前述のように、ワークＷの後端部に測定子１７を相対的に当接し、押圧部材３３によって下型１１の上面に対するワークＷの浮上がりを防止した状態にあるときに、上型１３を下降する。そして、下型１１と上型１３によってワークＷが挟み込まれたときに、前記測定子１７を後退すると共に前記押圧部材３３を元の位置に上昇復帰する。そして、上型１３をさらに下降することによってワークＷの折曲げ加工が行われる。
【００２３】
以上のごとき説明から理解されるように、ワークＷの後端部を含むワークＷの平面部を下型１１の上面に載置し、前記後端部にバックゲージ１５の測定子１７を相対的に当接して位置決めするとき、ワークＷの前記平面部が下型１１の上面から浮上がることを防止できるものである。したがって、予め折曲げ加工されたワークＷの後端部にバックゲージ１５を相対的に当接して位置決めする作用を、ロボット２１によってワークＷを保持した状態で行う場合であっても、ワークＷの位置決めをより正確に行い得るものである。
【００２４】
ところで、図４に示すように、下型１１上にワークＷを位置決めした状態において、ワークＷの後端部にバックゲージ１５の測定子１７を相対的に当接する際、プレスブレーキにおける上下の金型によってワークＷを移動可能に挟持した状態にあってもよいものである。この際、ワークＷは上下の金型に移動可能に挟持されているものであるから、上型がワーク浮上り防止手段を兼ねることとなるものである。したがって、前述した押圧部材３３等を省略することも可能である。
【符号の説明】
【００２５】
１  プレスブレーキ
１１  下型
１３  上型
１５  バックゲージ
１７  測定子（当接部）
２３  浮上がり防止手段
２５  上部フレーム
２７  上下動用アクチュエータ
２９  上下作動部材
３１  補助支持部材
３３  押圧部材
【図１】
2016000415.tif 000003
【図２】
2016000415.tif 000004
【図３】
2016000415.tif 000005
【図４】
2016000415.tif 000006